(57)【特許請求の範囲】
【請求項１】
治具ベースと、該治具ベースに軸線方向に進退自在且つ所定間隔を存して保持された一対の導電性を有するプランジャーと、前記治具ベースに収容されて各プランジャーを前進方向に付勢するスプリングとを備えてなり、両プランジャーの尖端をプリント配線板の配線回路に圧接させ、両プランジャーに電気的に接続された計測手段によって該配線回路の検査を行なうプリント配線板の検査治具において、
両プランジャーは、前記スプリングに一端が連接する基部と、該基部の他端側から延出して前記尖端が形成された延出部と、両プランジャーの尖端が互いに接近する方向に延出部の軸線を基部の軸線に対して偏心させて基部に延出部を連結する連結部とを備え、
前記治具ベースは、前記連結部を摺動自在に収容する案内部と、前記延出部が挿通する挿通孔と、該挿通孔から偏心した位置に形成されて前記基部が挿通する挿通孔と、前記連結部によって延出部側と基部側とに形成された段差を係止して抜け止めする一対の係止部とを備えることを特徴とするプリント配線板の検査治具。
【請求項２】
前記プランジャーの連結部は、前記基部の側面に前記延出部の側面を電気的に導通可能に接合することによって形成されていることを特徴とする請求項１記載のプリント配線板の検査治具。
【請求項３】
前記プランジャーの基部と連結部と延出部とは一体に連続して形成され、該連結部は、基部と延出部との境界に位置して両プランジャーの尖端が互いに接近する方向に延出部の軸線を基部の軸線に対して偏心させる形状に屈曲されていることを特徴とする請求項１記載のプリント配線板の検査治具。
【請求項４】
両プランジャーの尖端は、各延出部の互いに対向する側の周縁に形成されていることを特徴とする請求項１乃至３の何れか１項記載のプリント配線板の検査治具。
【発明の詳細な説明】
【０００１】
【発明の属する技術分野】
本発明は、プリント配線板の配線回路の検査を行なう際に用いられるプリント配線板の検査治具に関する。
【０００２】
【従来の技術】
従来、プリント配線板の配線回路の検査治具としては、図６に示すように、治具ベース３０に所定間隔を存して進退自在に保持された一対のプランジャー３１を備えるものが知られている。夫々のプランジャー３１は治具ベース３０に収容されたスプリング３２によって前進方向に付勢されている。プランジャー３１及びスプリング３２は導電性を有しており、プランジャー３１とスプリング３２とは電気的に導通された状態で連接される。
【０００３】
治具ベース３０は、両スプリング３２を互いに絶縁された状態で収容するスプリング保持板３３と、スプリング保持板３３に重合されて各スプリング３２の一端に当接する導電性の接点３４を収容する接点保持板３５とを備えている。接点３４にはコネクタースリーブ３６を介してリード線３７が接続されており、リード線３７は図示しない計測手段に接続されている。また、両プランジャー３１は大径部３８を備え、治具ベース３０のプランジャー収容部３９に抜け止めされて進退自在に保持されている
このように構成された検査治具は、両プランジャー３１の夫々の尖端４０を図示しないプリント配線板の配線回路に圧接させ、配線間の導通を前記計測手段によって計測することによって配線回路の検査を行なう。
【０００４】
ところで、近年、プリント配線板の配線回路が高密度化され、それに伴ってよりいっそう狭い間隔の配線回路の検査を行なうことが望まれている。そして、このように高密度化された配線回路の検査を行なうために、両プランジャー３１，３１の両尖端４０，４０の間隔寸法ｘをより小とすることが考えられる。
【０００５】
そこで、従来の検査治具の構成において、両プランジャー３１，３１の両尖端４０，４０の間隔寸法ｘをより小とするためには、プランジャー３１及びスプリング３２の外径を小とし、プランジャー３１及びスプリング３２を小径としたぶん両プランジャー３１，３１の間隔及び両スプリング３２，３２の間隔を共に接近させることが行なわれる。
【０００６】
しかし、プランジャー３１の外径を小とすることによって、プランジャー３１の強度が低下すると共に、スプリング３２の外径を小とすることによって、プランジャー３１の尖端４０を配線回路に確実に圧接させるための付勢力が不十分となり、接触不良が生じて検査精度が低下する不都合があった。
【０００７】
【発明が解決しようとする課題】
かかる不都合を解消して、本発明は、プランジャー及びスプリングを小径とすることなく両プランジャーの尖端の間隔寸法を小とすることができ、高密度化された配線回路の検査を高精度に行なうことができる検査治具を提供することを目的とする。
【０００８】
【課題を解決するための手段】
かかる目的を達成するために、本発明は、治具ベースと、該治具ベースに軸線方向に進退自在且つ所定間隔を存して保持された一対の導電性を有するプランジャーと、前記治具ベースに収容されて各プランジャーを前進方向に付勢するスプリングとを備えてなり、両プランジャーの尖端をプリント配線板の配線回路に圧接させ、両プランジャーに電気的に接続された計測手段によって該配線回路の検査を行なうプリント配線板の検査治具において、両プランジャーは、前記スプリングに一端が連接する基部と、該基部の他端側から延出して前記尖端が形成された延出部と、両プランジャーの尖端が互いに接近する方向に延出部の軸線を基部の軸線に対して偏心させて基部に延出部を連結する連結部とを備え、前記治具ベースは、前記連結部を摺動自在に収容する案内部と、前記延出部が挿通する挿通孔と、該挿通孔から偏心した位置に形成されて前記基部が挿通する挿通孔と、前記連結部によって延出部側と基部側とに形成された段差を係止して抜け止めする一対の係止部とを備えることを特徴とする。
【０００９】
本発明によれば、前記連結部によって両プランジャーの尖端が互いに接近する方向に延出部の軸線を基部の軸線に対して偏心させて延出部と基部とを連結する。このとき、両プランジャーの基部及びスプリングの軸線の間隔よりも、両プランジャーの延出部の軸線の間隔が小となる。これにより、スプリング、基部、及び延出部の外径を小とすることなく両延出部の尖端の間隔を小とすることができ、高密度化された配線回路の検査を高精度に行なうことができる。
また、前記延出部が挿通する挿通孔と、該挿通孔から偏心した位置に形成されて前記基部が挿通する挿通孔とによって、延出部の軸線と基部の軸線との偏心に対応して延出部と基部とが両挿通孔により案内されるので、基部の軸線回り及び延出部の軸線回りの回転を防止することができる。更に、一対の係止部によって連結部の段差の両端が係止され抜け止めすることができる。
【００１０】
本発明の一態様として、前記プランジャーの連結部は、前記基部の側面に前記延出部の側面を電気的に導通可能に接合することによって形成されていることを特徴とする。このように、連結部においては基部の側面に延出部の側面を接合することにより、基部の軸線に対して延出部の軸線を容易に偏心させることができる。更に、基部と延出部とが接合された連結部は、例えば、基部と延出部との偏心方向に沿って該連結部を規制することにより、基部の軸線回りのプランジャーの回転を容易に防止することができ、両延出部の尖端の間隔を一定に維持することができる。
【００１１】
また、本発明の他の態様として、前記プランジャーの基部と連結部と延出部とは一体に連続して形成され、該連結部は、基部と延出部との境界に位置して両プランジャーの尖端が互いに接近する方向に延出部の軸線を基部の軸線に対して偏心させる形状に屈曲されていることを特徴とする。これによれば、該連結部を屈曲させるだけで基部の軸線に対して延出部の軸線を容易に偏心させることができる。しかも、連結部において屈曲させる量によって偏心の度合いを調節することができ、両延出部の尖端の間隔をより正確に所望の間隔とすることができる。更に、屈曲する連結部は、その屈曲方向に対応する偏心方向に沿って規制することにより、基部の軸線回りのプランジャーの回転を容易に防止することができ、両延出部の尖端の間隔を一定に維持することができる。
【００１２】
また、本発明において、両プランジャーの尖端は、各延出部の互いに対向する側の周縁に形成されていることを特徴とする。例えば、延出部の軸線上に尖端を設けた場合には、両尖端の間隔寸法は両延出部の軸線の間隔となる。それに対して本発明によれば、各延出部の互いに対向する側の周縁に尖端を形成することによって、尖端同士を夫々延出部の半径の寸法ぶん更に接近させることができる。
【００１３】
【発明の実施の形態】
本発明の一実施形態を図面に基づいて説明する。図１は本実施形態の検査治具の要部構成を縦断面視して示す説明図、図２は本実施形態の検査治具の組立て工程の一部を示す説明図、図３乃至図５はプランジャーの他の形態を示す説明図である。
【００１４】
本実施形態の検査治具１は、図１に示すように、治具ベース２と、該治具ベース２に進退自在に保持された互いに隣り合って位置する少なくとも一対のプランジャー３と、各プランジャー３を前進方向に付勢するスプリング４とを備え、両プランジャー３の尖端５を、図示しないプリント配線板の配線回路に圧接させて配線間の導通検査を行なうものである。
【００１５】
前記プランジャー３は、導電性を得るために金属によって形成され、前記スプリング４に連接された基部６と、治具ベース２の外方に延出する延出部７と、延出部７を基部６に連結する連結部８とによって構成されている。延出部７に形成された尖端５は、該延出部７の互いに対向する側の周縁に形成されている。
【００１６】
連結部８は、基部６の側面に延出部７の側面を、例えばハンダ等の導電性を有する接合手段を用いて接合することによって形成されている。また、該連結部８においては基部６の軸線ａに対して延出部７の軸線ｂが偏心される。このとき、両延出部７の偏心方向は、互いに接近する方向とされている。
【００１７】
前記スプリング４は、金属製であり、プランジャー３の基部６に電気的に接続された状態で連接される。また、スプリング４は、接点９に当接しており、該接点９はコネクタースリーブ１０を介して接続されたリード線１１によって図示しない計測手段に接続されている。該計測手段は、配線回路の電気的導通を計測するものである。
【００１８】
前記治具ベース２は、図１中上方から順に、第１〜第５の板部材１２，１３，１４，１５，１６が積層されることによって構成されている。第１の板部材１２は、前記延出部７が挿通する挿通孔１７と前記連結部８の段差を係止して抜け止めする第１係止部１８とを備えている。第１の板部材１２に重合された第２の板部材１３は、前記連結部８を摺動自在に収容して延出部７の進退方向に案内する案内部１９を備えている。第２の板部材１３に重合された第３の板部材１４は、前記基部６が挿通する挿通孔２０と前記連結部８の段差を係止して延出部７の所定の後退に規制する第２係止部２１とを備えている。これによって、プランジャー３は、治具ベース２の第１〜第３の板部材１２，１３，１４によって抜け止めされた状態で進退自在に保持される。また、第１の板部材１２の挿通孔１７と第３の板部材１４の挿通孔２０とは、延出部７の軸線ｂと基部６の軸線ａとの偏心に対応して延出部７と基部６とを案内するので、基部６の軸線回り及び延出部７の軸線回りの回転が防止される。
【００１９】
また、第３の板部材１４に重合された第４の板部材１５は、前記プランジャー３の基部６に連接されたスプリング４を収容するスプリング収容部２２を備え、該第４の板部材１５に重合された第５の板部材１６は、前記接点９を保持する接点保持部２３を備えている。
【００２０】
このように構成された検査治具１は、図１に示すように、基部６の軸線ａに対して延出部７の軸線ｂが互いに接近する方向に偏心され、しかも両尖端５が延出部７の互いに対向する側の周縁に形成されているので、プランジャー３やスプリング４の外径を小とすることなく、両尖端５の間隔寸法ｘを極めて小とすることができる。更に、プランジャー３は連結部８によって回り止めされて治具ベース２に保持されるので、両尖端５の間隔寸法ｘを確実に維持することができる。これによって、本実施形態によれば、高密度化されたプリント配線板の配線回路の検査を精度良く確実に行なうことができる。
【００２１】
本実施形態の検査治具１は、次のようにして組み立てることができる。先ず、図２（ａ）に示すように、第３の板部材１４に第２の板部材１３を重合させ、第２の板部材１３の案内部１９と第３の板部材１４の挿通孔２０とを連通させる。次いで、図２（ｂ）に示すように、案内部１９及び挿通孔２０にプランジャー３の基部６及び連結部８を挿通保持させる。
【００２２】
続いて、図２（ｃ）に示すように、第２の板部材１３を上昇させて両尖端５を案内部１９の内部に位置させ、この状態で、第２の板部材１３に第１の板部材１２を重合させる。そして、図２（ｄ）に示すように、第２の板部材１３と第１の板部材１２とを一体に下降させ、第２の板部材１３を第３の板部材１４に重合させる。こうすることによって、両プランジャー３，３の尖端５，５を第１の板部材１２の両挿通孔１７，１７を挿通させるときに、両尖端５，５が両挿通孔１７，１７の隔壁部２４の下端角部に干渉することなく円滑に組立てを行なうことができる。
【００２３】
一方、第４の板部材１５及び第５の板部材１６については、図２（ｄ）に示すように、第５の板部材１６の接点保持部２３に接点９を装着した後、第５の板部材１６に第４の板部材１５を重合させ、該第４の板部材１５のスプリング収容部２２にスプリング４を挿入しておく。
【００２４】
その後、第４の板部材１５に第１の第１の板部材１２及び第２の板部材１３を積層した第３の板部材１４を重合させ、プランジャー３の基部６を第４の板部材１５のスプリング収容部２２内にあるスプリング４に当接させる。これにより、図１に示す検査治具１が形成される。
【００２５】
なお、本実施形態においては、図１に示すように、連結部８において基部６と延出部７とを偏心させてハンダ等によって接合したプランジャー３を採用したが、本発明におけるプランジャーの連結部はこれに限るものではない。例えば、図３に示すように、基部６と延出部７とが一体のプランジャー２５において、基部６と延出部７との境界位置に円柱状の連結部８ｘを形成して延出部７の軸線ａを基部６の軸線ｂに対して偏心させてもよい。該プランジャー２５は基部６、連結部８ｘ及び延出部７が一体に形成されていることにより、組立ての際の取り扱いが容易であるだけでなく、高い強度を得ることができる。
【００２６】
また、図４に示すように、基部６と延出部７とが一体のプランジャー２６において、基部６と延出部７との境界位置を屈曲させて連結部８ｙとしてもよい。該連結部８ｙは延出部７の軸線ａを基部６の軸線ｂに対して偏心させるべく屈曲成形したものであり、これによって、互いに隣り合うプランジャー２６同士の対向方向に延出部７を容易に偏心させることができる。そして更に、屈曲する連結部８ｙを設けることによって、連結部８ｙの屈曲量を調節して延出部７の軸線ａを基部６の軸線ｂに対して所望の寸法に偏心させることができる。
【００２７】
それ以外には、図５に示すように、基部６と延出部７とが一体のプランジャー２７においては、基部６と延出部７との境界位置を鋸刃状に複数屈曲させて連結部８ｚを形成してもよい。これによって、例えば、図１示の案内部１９に図４示の連結部８ｚを収容した場合に、図１示のハンダ等によって接合した連結部８と同様に、該案内部１９における連結部２８の案内が安定し、プランジャー８ｚの進退を精度良く行なうことができる。
【００２８】
また、前述した実施形態の各プランジャー３，２５，２６，２７においては、尖端５が延出部７の周縁に形成されているものを採用したが、その他、図示しないが、延出部７の軸線ｂ上に形成された尖端（例えば図６の尖端４０参照）を設けて前記連結部８，２６，２８による延出部７の偏心によってのみ尖端同士を接近させるようにしてもよい。尖端を延出部７の周縁に形成するか、延出部７の軸線上に形成するかは、プリント配線板の配線回路の密度に応じてその何れかを選択することができる。
【図面の簡単な説明】
【図１】本発明の一実施形態の検査治具の要部構成を示す説明的縦断面図。
【図２】本発明の一実施形態の検査治具の組立て工程の一部を示す説明図。
【図３】プランジャーの他の形態を示す説明図。
【図４】プランジャーの他の形態を示す説明図。
【図５】プランジャーの他の形態を示す説明図。
【図６】従来の検査治具の要部構成を示す説明的縦断面図。
【符号の説明】
１…検査治具、２…治具ベース、３，２５，２６，２７…プランジャー、４…スプリング、５…尖端、６…基部、７…延出部、８，８ｘ，８ｙ，８ｚ…連結部。
【図１】
0003711264.tif 000002
【図２】
0003711264.tif 000003
【図３】
0003711264.tif 000004
【図４】
0003711264.tif 000005
【図５】
0003711264.tif 000006
【図６】
0003711264.tif 000007